(57)【特許請求の範囲】
【請求項１】
基体と；
表面に複数の発光ダイオードが面状に装着され基体に着脱自在に取り付けられた熱伝導性を有する発光ダイオードユニットと；
発光ダイオードを水密に覆い基体に取り付けられた頂部に孔を有する透光性のグローブ体と；
グローブ体の孔を介して、ダイオードユニットとの協働によってグローブ体を挟み込むとともにグローブ体の表面に設けられ発光ダイオードユニットの熱を放熱する放熱体と；
を具備したことを特徴とする照明装置。
【請求項２】
基体は発光ダイオードユニットに熱的接触を有し、
この基体の表面に放熱用の放熱フィンを具備した
ことを特徴とする請求項１記載の照明装置。
【請求項３】
基体に設けられた点灯回路と；
発光ダイオードに電気的に接続され点灯回路に着脱自在の接続線と；
を具備したことを特徴とする請求項１または２記載の照明装置。
【請求項４】
発光ダイオードユニットは、
発光ダイオードが装着される板状のユニットプレートと；
ユニットプレートが装着されるユニット本体と；
を具備したことを特徴とする請求項１ないし３いずれか記載の照明装置。
【請求項５】
基体に形成された端子台収納部と；
この端子台収納部に収納され電源線を接続可能な端子台と；
端子台収納部を閉塞する蓋体と；
を具備したことを特徴とする請求項１ないし４いずれか記載の照明装置。
【請求項６】
請求項１ないし５いずれか記載の照明装置の発光ダイオードの発光色を赤色とした
ことを特徴とする航空障害灯。
【発明の詳細な説明】
【０００１】
【発明の属する技術分野】
本発明は、発光ダイオードが面状に配設された照明装置および航空障害灯に関する。
【０００２】
【従来の技術】
従来のこの種の航空障害灯としては、たとえば実開平４−１０２１１３号公報に記載の構成が知られている。
【０００３】
この実開平４−１０２１１３号公報に記載の構成は、建造物などに装着される截頭円錐筒状の基体を有し、この基体の外周面に発光ダイオードが装着された発光ダイオードユニットを形成し、基体の内面には空気流通路を形成し、発光ダイオードユニットの外周には発光ダイオードを水密に覆う透光性を有するグローブ体が取り付けられたものである。
【０００４】
そして、基体の内面の空気流通路内に空気を流通させて冷却し、発光ダイオードが発熱しても発光ダイオードユニットおよび基体が必要温度以上に過熱することを防止している。
【０００５】
【発明が解決しようとする課題】
しかしながら、上述の実開平４−１０２１１３号公報に記載の構成の場合には、発光ダイオードユニットの発光ダイオードが点灯しなくなった場合に、発光ダイオードユニットを交換できないため、全体を交換しなければならずメインテナンスが複雑である問題を有している。
【０００６】
本発明は、上記問題点に鑑みなされたもので、メインテナンスを容易にした照明装置および航空障害灯を提供することを目的とする。
【０００７】
【課題を解決するための手段】
請求項１記載の照明装置は、基体と；表面に複数の発光ダイオードが面状に装着され基体に着脱自在に取り付けられた熱伝導性を有する発光ダイオードユニットと；発光ダイオードを水密に覆い基体に取り付けられた頂部に孔を有する透光性のグローブ体と；グローブ体の孔を介して、ダイオードユニットとの協働によってグローブ体を挟み込むとともにグローブ体の表面に設けられ発光ダイオードユニットの熱を放熱する放熱体とを具備したもので、放熱体により放熱できるとともに発光ダイオードが点灯しなくなった場合に、発光ダイオードを基体から取り外せば良いため、発光ダイオードユニットを交換すればよく、メインテナンスを容易に行なえる。
【０００８】
請求項２記載の照明装置は、請求項１記載の照明装置において、基体は発光ダイオードユニットに熱的接触を有し、この基体の表面に放熱用の放熱フィンを具備したもので、発光ダイオードユニットの熱を基体に伝導し放熱フィンにより放熱するため、発光ダイオードの発熱により発熱した発光ダイオードユニットの熱をより効率良く放熱する。
【０００９】
請求項３記載の照明装置は、請求項１または２記載の照明装置において、基体に設けられた点灯回路と；発光ダイオードに電気的に接続され点灯回路に着脱自在の接続線とを具備したもので、発光ダイオードは点灯回路に着脱自在なため、発光ダイオードユニットの発光ダイオードと基体の点灯回路との電気的接続も容易に接離でき、メインテナンスが容易になる。
【００１０】
請求項４記載の照明装置は、請求項１ないし３いずれか記載の照明装置において、発光ダイオードユニットは、発光ダイオードが装着される板状のユニットプレートと；ユニットプレートが装着されるユニット本体とを具備したもので、発光ダイオードが装着されるユニットプレートとユニット本体とが別体であるため、発光ダイオードの装着を容易に行なえ、組立性が向上する。
【００１１】
請求項５記載の照明装置は、請求項１ないし４いずれか記載の照明装置において、基体に形成された端子台収納部と；この端子台収納部に収納され電源線を接続可能な端子台と；端子台収納部を閉塞する蓋体とを具備したもので、蓋体を開くことにより端子台が露出して電源線との接続を容易に行なえるため、電源線の接続を容易に行なえる。
【００１２】
請求項６記載の航空障害灯は、請求項１ないし５いずれか記載の照明装置の発光ダイオードの発光色を赤色としたもので、航空法に定める赤色発光を行なえる。
【００１３】
【発明の実施の形態】
以下、本発明の航空障害灯の一実施の形態を図面を参照して説明する。
【００１４】
図１は航空障害灯の図２に示すＩ−Ｉ断面図、図２は側面図、図３は平面図、図４は底面図、そして、図５は図２に示すＶ−Ｖ断面図で、図１に示すように、１は基体としての灯体で、この灯体１はアルミニウム製の上部灯体部２と、この上部灯体部２の下方に設けられ図示しない建造物の外壁などに取り付けられる同様にアルミニウム製の下部灯体部３とから構成されている。
【００１５】
そして、上部灯体部２はほぼ円盤状に形成され、下面には図２、図４および図５に示すように、放射状に複数の放熱フィン４が突出形成され、これら放熱フィン４の中央部に対応する位置には平面四角状の嵌合凹部５が形成されている。一方、上部灯体部２の上面にはほぼ中央に平面円形状の回路収納部６が形成され、この回路収納部６に対して同心円状に円弧状の嵌合凹溝７が形成され、この嵌合凹溝７には図４および図５に示すように、ねじ挿通孔８が９０°毎に穿設され、このねじ挿通孔８の下面にはこのねじ挿通孔８よりやや径大のねじ用凹部９が形成されている。さらに、上面の最外周には周縁に沿って切欠部11が形成されている。また、上部灯体部２の中心軸には、回路収納部６および嵌合凹部５の間を連通する電線挿通孔12が形成されている。
【００１６】
また、下部灯体部３は、先端が上部灯体部２の嵌合凹部５に嵌合される四角筒状の柱部16とこの柱部16の下部でこの柱部16より径大の取付部17とにて形成され、この取付部17の下面の周縁には台座などに固定するフランジ18が突出形成され、このフランジ18よりやや中心側には図４に示すように９０°毎にねじ挿通孔19が形成されている。さらに、柱部16には側面に開口21を有する端子台収納部22が形成され、この端子台収納部22の上方には図５に示すようにこの柱部16の中心軸に位置して上部灯体部２の電線挿通孔12に連通する電線挿通孔23が形成され、端子台収納部22の下方には同様に中心軸に位置して取付部17の背面まで連通する電線挿通孔24が形成されている。また、端子台収納部22の開口21には板状の蓋体25がねじ26にて取り付けられ、端子台収納部22を水密に閉塞している。
【００１７】
さらに、上部灯体部２の回路収納部６には点灯回路27が収納され、下部灯体部３の端子台収納部22には端子台28が収納されている。
【００１８】
また、灯体１の上部には発光ダイオードユニット31が取り付けられており、この発光ダイオードユニット31は、アルミニウム製のユニット本体32と、このユニット本体32の表面に取り付けられたアルミニウム製の板状のユニットプレート33とから構成されている。
【００１９】
そして、ユニット本体32は、内部が中空の截頭円錐筒状で外周にユニットプレート33が取り付けられるプレート取付部35を有し、このプレート取付部35の上面は蓋部36にて閉塞され、この蓋部36の中心軸に沿って上方に向けて突部37が突出形成され、この突部37にはねじ孔38が形成されている。また、プレート取付部35の下方には、このプレート取付部35より径小の円筒状の支持部41が形成され、この支持部41の最下部には径方向に突出したフランジ部42が形成されている。そして、フランジ部42の下面には、灯体１に形成された嵌合凹溝７に嵌合される円周状の嵌合突条43が突出形成され、この嵌合突条43の９０°毎にねじ挿通孔８に対応して連通するねじ孔44が形成されている。また、支持部41には内外を挿通する電線挿通孔45が穿設されている。そして、発光ダイオードユニット31の嵌合突条43を灯体１の嵌合凹溝７に嵌合し、ねじ挿通孔８とねじ孔38を直線状に位置させ、ねじ用凹部９からねじ46を挿入して、ねじ孔38にねじ46を螺合して発光ダイオードユニット31を灯体１に装着する。
【００２０】
なお、ユニットプレート33には長手方向に沿って赤色の発光ダイオード47が２列ずつ配設され、このユニットプレート33はユニット本体32の周囲に複数枚軸方向に沿って配設されている。
【００２１】
さらに、発光ダイオードユニット31を水密に覆う下面が開口したドーム状の透光性を有する赤色のグローブ体51が灯体１に取り付けられている。このグローブ体51の開口周囲には、切欠部11に対応してＬ字状に形成され防水性を向上する係合部52が形成され、この係合部52の内方に位置して発光ダイオードユニット31の取付部17の周囲に位置する位置決め凹部53が形成されている。さらに、グローブ体51の頂部には平面部54が形成され、この平面部54には発光ダイオードユニット31のねじ孔38に対応してねじ挿通孔55が穿設されている。
【００２２】
そして、発光ダイオードユニット31の平面部54上には、真鍮製の放熱体56が取り付けられている。この放熱体56は、表面がグローブ体51の表面と連続するように球面状に形成され、下面にはねじ挿通孔55を介してねじ孔38に螺合される雄ねじ部57が突出して形成されている。
【００２３】
また、各発光ダイオード47には接続線61が接続され、この接続線61は発光ダイオードユニット31の支持部41の電線挿通孔45を介して点灯回路27に着脱自在に接続され、この点灯回路27からは端子台28に接続線62を介して接続され、この端子台28は電源線63に接続されている。
【００２４】
次に、上記実施の形態の組み立てについて説明する。
【００２５】
まず、発光ダイオード47が装着されたユニットプレート33をユニット本体32に装着し、発光ダイオードユニット31を完成させる。
【００２６】
また、下部灯体部３の柱部16の先端を上部灯体部２の嵌合凹部５に嵌合させて灯体１を形成し、回路収納部６に点灯回路27を収納し、端子台収納部22に端子台28を収納してそれぞれ装着する。
【００２７】
そして、接続線62を電線挿通孔12および電線挿通孔23に挿通してこの接続線62にて点灯回路27と端子台28とを接続するとともに、接続線61を支持部41の電線挿通孔45に挿通してこの接続線61にて発光ダイオード47と点灯回路27を接続する。
【００２８】
さらに、発光ダイオードユニット31の嵌合突条43を灯体１の嵌合凹溝７に嵌合させて熱的に接触させ、灯体１のねじ挿通孔８と発光ダイオードユニット31のねじ孔44とを直線上に位置させ、灯体１のねじ用凹部９からねじ46を挿入して、ねじ46を発光ダイオードユニット31のねじ孔44に螺合し、灯体１に発光ダイオードユニット31を取り付ける。
【００２９】
次に、グローブ体51の係合部52を灯体１の切欠部11に係合するとともに、グローブ体51の位置決め凹部53を発光ダイオードユニット31のフランジ部42に位置決めして固定し、放熱体56の雄ねじ部57をグローブ体51のねじ挿通孔55を介してねじ孔38に螺合し、グローブ体51を灯体１に固定するとともに、放熱体56を発光ダイオードユニット31に螺合することにより放熱体56と発光ダイオードユニット31とを熱的に結合するとともに、放熱体56によりグローブ体51を固定する。
【００３０】
また、建造物の外壁に取り付けるに際しては、ねじ26を取り外すことにより蓋体25を取り除いて端子台収納部22の開口21を開口させ、電源線63を電線挿通孔24を介して端子台収納部22に引き込み、電源線63を端子台28に接続し、ねじ26を灯体１に螺着して再び蓋体25で端子台収納部22の開口21を閉塞する。
【００３１】
さらに、灯体１の取付部17のねじ挿通孔19に図示しないねじを挿通して装着し、フランジ18を建造物の外壁などに食い込ませて全体を固定する。
【００３２】
そして、発光ダイオード47が点灯して発熱すると、この発光ダイオード47の熱はユニットプレート33を介してユニット本体32に伝導され、このユニット本体32に伝導された熱は放熱体56により上方に放熱されるとともに、灯体１の放熱フィン４により下方に放熱される。したがって、従来のように空気挿通孔などが形成されないので、小動物あるいは昆虫などが詰まるという事態が生じることがなくなり、常に確実に放熱できる。
【００３３】
また、たとえば点灯しない発光ダイオード47が発生した場合には、ねじ46を取り外し、発光ダイオードユニット31を灯体１から取り外すとともに、点灯回路27から接続線61を取り外すことにより、容易に発光ダイオードユニット31側のみを取り外すことができるため、発光ダイオード47の一部に不良が生じても、従来のように全体を取り外す必要がなくなるため、メインテナンス性を向上できる。
【００３４】
【発明の効果】
請求項１記載の照明装置によれば、放熱体により放熱できるとともに、発光ダイオードが点灯しなくなった場合に、発光ダイオードを基体から取り外せば良いため、発光ダイオードユニットを交換すればよく、メインテナンスを容易にできる。
【００３５】
請求項２記載の照明装置によれば、請求項１記載の照明装置に加え、発光ダイオードユニットの熱を基体に伝導し放熱フィンにより放熱するため、発光ダイオードの発熱により発熱した発光ダイオードユニットの熱をより効率良く放熱できる。
【００３６】
請求項３記載の照明装置によれば、請求項１または２記載の照明装置に加え、発光ダイオードは点灯回路に着脱自在なため、発光ダイオードユニットの発光ダイオードと基体の点灯回路との電気的接続も容易に接離でき、メインテナンスを容易にできる。
【００３７】
請求項４記載の照明装置によれば、請求項１ないし３いずれか記載の照明装置に加え、発光ダイオードが装着されるユニットプレートとユニット本体とが別体であるため、発光ダイオードの装着を容易に行なえ、組立性を向上できる。
【００３８】
請求項５記載の照明装置によれば、請求項１ないし４いずれか記載の照明装置に加え、蓋体を開くことにより端子台が露出して電源線との接続を容易に行なえるため、電源線の接続を容易できる。
【００３９】
請求項６記載の航空障害灯によれば、請求項１ないし５いずれか記載の照明装置の発光ダイオードの発光色を赤色としたもので、航空法に定める赤色発光できる。
【図面の簡単な説明】
【図１】  本発明の航空障害灯の一実施の形態を示す図２に示すＩ−Ｉ断面図である。
【図２】  同上側面図である。
【図３】  同上平面図である。
【図４】  同上底面図である。
【図５】  同上図２に示すＶ−Ｖ断面図である。
【符号の説明】
１    基体としての灯体
４    放熱フィン
22    端子台収納部
25    蓋体
27    点灯回路
28    端子台
31    発光ダイオードユニット
32    ユニット本体
33    ユニットプレート
47    発光ダイオード
51    グローブ体
55    ねじ挿通孔
56    放熱体
61    接続線
63    電源線
【図１】
0003905144.tif 000002
【図２】
0003905144.tif 000003
【図３】
0003905144.tif 000004
【図４】
0003905144.tif 000005
【図５】
0003905144.tif 000006